(57)【要約】【課題】  車両用盗難防止装置を提供することである。【解決手段】  本発明による、電波透過性材料で作られたルーフを持つ車両用の盗難防止装置は、電波を発信し、車両室内で反射された反射波を受信するモーションセンサと、盗難防止アラーム装置と、前記モーションセンサが受信した反射波に所定の変化が生じたときに前記アラーム装置に対して盗難防止制御を行う盗難防止制御装置とを有し、前記モーションセンサは、電波発信方向が水平面に対して斜め下向きで、車両下部に水平に設けられる金属パネルに向けられるように、前記車両室内の下部に配置され、前記モーションセンサ及び前記金属パネルを覆うトリム部材と、前記金属パネルによって反射された反射電波の少なくとも一部を下方に反射させる、前記トリム部材に設けられた反射部材とを有する、ことを特徴とする。【選択図】      図１
2006281844.tif 000002
【特許請求の範囲】
【請求項１】
電波透過性材料で作られたルーフを持つ車両用の盗難防止装置であって、
電波を発信し、車両室内で反射された反射波を受信するモーションセンサと、盗難防止アラーム装置と、前記モーションセンサが受信した反射波に所定の変化が生じたときに前記アラーム装置に対して盗難防止制御を行う盗難防止制御装置とを有し、
前記モーションセンサは、電波発信方向が水平面に対して斜め下向きで、車両下部に水平に設けられる金属パネルに向けられるように、前記車両室内の下部に配置され、
前記モーションセンサ及び前記金属パネルを覆うトリム部材と、
前記金属パネルによって反射された反射電波の少なくとも一部を下方に反射させる、前記トリム部材に設けられた反射部材とを有する、
盗難防止装置。
【請求項２】
前記反射部材が前記反射電波を車両前方のインストルメントパネルに向けて反射させるように構成された、請求項１記載の盗難防止装置。
【請求項３】
前記反射部材が、前記モーションセンサから直接入射される電波に対して略平行に配置された、請求項１又は請求項２記載の盗難防止装置。
【発明の詳細な説明】
【技術分野】
【０００１】
本発明は、車両用盗難防止装置に関し、特に、オープンカー用の盗難防止装置に関する。
【背景技術】
【０００２】
近年、車両内に侵入して金品等を盗んだり、車両ごと持ち去るなど、車両に関する犯罪は増加の一途をたどっている。
【０００３】
これに伴い各種の車両用盗難防止装置が開発され、その一つに、車室内に超音波を発信し、車室によって反射された反射超音波を受信し、反射超音波に変化があったときに車室に不審者が侵入したと判断して、侵入者の存在を外部の者に知らせるアラームを発する、所謂バーグラアラームシステムが知られている。アラームには、侵入者の存在を車両付近の第三者に知らせる警報音、侵入者の存在を車両所有者(使用者)に知らせる通報、または、これら両方など、種々のものが知られている。
【０００４】
このようなバーグラアラームシステムの一例が特許文献１に開示されている。
この特許文献１に開示されたバーグラアラームシステム(車両用侵入検出装置)は、ルーフが鉄製などの超音波を反射することができる材料で作られている車両を装着対象車とし、超音波送受信器、すなわち、モーションセンサは、フロントウインドシールドの上縁(フロントヘッダー)に、後方下向きに設置される。
【０００５】
【特許文献１】特開２０００−１４２３２４号公報
【０００６】
商品としての車の質感、或いは、見栄えを向上させるため、近年、モーションセンサを含むセンサ類等はトリムによって覆い隠すのが一般的であるところ、モーションセンサが特許文献１におけるように超音波式の場合には、トリムによって超音波が遮蔽されてしまう。そこで、トリムによって遮蔽されることのない電波を用いたモーションセンサを利用するバーグラアラームシステムも登場し始めている。
【発明の開示】
【発明が解決しようとする課題】
【０００７】
ところで、車のタイプの１つとしてルーフ(トップ)が開放されている、或いは、ルーフを選択的に開放することができるオープンカーがあり、更に、このオープンカーは、電波を反射しない布や革などで作られたソフトトップ(幌)を持つものと、電波を反射する金属製のハードトップを持つものとがある。
【０００８】
このソフトトップのオープンカーに、特許文献１に開示のバーグラアラームシステム(モーションセンサが発信する超音波は電波に置換されているものとする)をそのまま適用することは好ましくない。
【０００９】
モーションセンサをフロントヘッダーに、すなわち、ソフトトップ近くに設置すると、モーションセンサから発信された電波(直接波)が、電波発信中心方向から広がってソフトトップを透過し、車外の、車両上方を移動する移動物、例えば、鳥や、宙を舞ったゴミなどを誤検知し、その結果、この車外移動物を車室内への侵入者であると誤判断し、アラームを発してしまう恐れがあるからである。
【００１０】
この問題を解決するには、モーションセンサを車両室内下部に設け、その電波発信方向を斜め下方にすることが考えられる(電波発信方向を水平方向とするのは、発信された電波の最上方の直接波が電波透過性材料で形成されたルーフを透過してしまうので、好ましくない)。
【００１１】
しかし、斜め下方に発信された電波、特に、モーションセンサの電波発信中心方向の最も強い電波は、車室下方に位置する平面状の金属パネル(例えば、フロアパネルや、リヤコンソール)によって反射され、ルーフに向かう強い反射電波を生じさせ、やはり車両上方の移動物を誤検知してしまう。
かかる問題を解決する手段として、モーションセンサが発信する電波の強度自体を低下させたり、モーションセンサを上向き又は水平に設置し、直接上方に発信される電波を反射する反射板を設けることも考えられるけれども、車室内にモーションセンサが侵入検知できないエリアを作ってしまうことになり、盗難防止性能を低下させてしまう。
【００１２】
また、上述した問題は、電波透過性材料で作られたトップを持つキャンバストップ車、コンバーチブル車、或いはまた、電波を透過しやすいガラスによってトップの一部が構成されているサンルーフ車、グラスルーフ車など、オープンカー以外の車両においても同様に発生する。
【００１３】
従って、本発明は、上述した問題を解決するために発明されたものであって、ルーフに電波を透過する材料が使用されている車両用の、ルーフ上方の移動物を誤検知することを低減する盗難防止装置を提供することを目的とする。
【課題を解決するための手段】
【００１４】
上記目的を達成するため、本発明による、電波透過性材料で作られたルーフを持つ車両用の盗難防止装置は、電波を発信し、車両室内で反射された反射波を受信するモーションセンサと、盗難防止アラーム装置と、前記モーションセンサが受信した反射波に所定の変化が生じたときに前記アラーム装置に対して盗難防止制御を行う盗難防止制御装置とを有し、前記モーションセンサは、電波発信方向が水平面に対して斜め下向きで、車両下部に水平に設けられる金属パネルに向けられるように、前記車両室内の下部に配置され、前記モーションセンサ及び前記金属パネルを覆うトリム部材と、前記金属パネルによって反射された反射電波を下方に反射させる、前記トリム部材に設けられた反射部材とを有する、ことを特徴とする。
【００１５】
反射部材によって電波発信方向の強い強度の電波が上方に向かうのを阻止することができるので、モーションセンサから発信される電波の強度を低下させることなしに、ルーフ上方の移動物に対する誤検知を低減することができる。また、ルーフに向かう直接波を遮蔽する反射板を設けないで済むので、侵入検知できないエリアが作られてしまうのを回避することができると共に、反射部材によって反射された電波がモーションセンサの直接波が届かない室内エリアに達し、検知エリアを拡大することができる。
【００１６】
上記構成による本発明の車両盗難防止装置では、前記反射部材が前記反射電波の少なくとも一部を車両前方のインストルメントパネルに向けて反射させるように構成されるのが好ましい。
反射部材によってインストルメントパネルに向けて電波を反射させることによって、ＣＤプレイヤーなどのオーディオ機器や、ナビゲーション装置などの高価な機器が取り付けられることが多く、従って、最も厳重に侵入検知すべき車内エリアの盗難防止性能を向上させることができる。
【００１７】
上記構成による本発明の車両盗難防止装置では、前記反射部材が、前記モーションセンサから直接入射される電波に対して略平行に配置されるのが好ましい。
【００１８】
この配置によれば、反射部材が遮ってしまうモーションセンサの直接波を少なくし、検知できない車内エリアを少なくすることができる。
【発明の効果】
【００１９】
本発明によれば、ルーフに電波を透過する材料が使用されている車両用の、ルーフ上方の移動物を誤検知することを低減する盗難防止装置を提供することができる。
【発明を実施するための最良の形態】
【００２０】
以下、添付図面を参照して、本発明の実施形態について説明する。この実施形態は、本発明を、ソフトトップＳＴを備えたオープンカー用の盗難防止装置に適用したものである。
【００２１】
図１乃至図４を参照すると、本発明の一実施形態による盗難防止装置が全体的に参照番号１で示されている。
この盗難防止装置１は、電波を発信し、車室内で反射された反射波を受信するモーションセンサ２と、モーションセンサ２に接続され、盗難防止制御を行う制御装置(図示せず)とを有する。
【００２２】
盗難防止装置１は、車両に対する特定の操作、例えば、車両ドアのロック装置の施錠、解錠に連動させて作動、不作動が切り替えられ、作動中、すなわち、車両盗難警戒状態にあるときにのみ、モーションセンサ２による電波の送受信を行うようになっている。盗難防止装置１の作動中のモーションセンサ２による電波の送受信は、連続的であっても良いし、断続的であっても良い。
【００２３】
図１及び図２で良くわかるように、車両１０の運転席(位置)と助手席１１(位置)との間にセンタートンネル１２が延び、このセンタートンネル１２は頂部にウェブプレート部分１２Ａを有する。モーションセンサ２は、このウェブプレート部分１２Ａの後部、すなわち、金属プレートからなるリヤコンソールパネル１２aに、エンドパネル１３に隣接して、配置される。すなわち、モーションセンサ２は、フロントウインドシールド１４とエンドパネル１３との間、及び、フロントウインドシールド１４を保持するＡピラー(図示せず)の上縁とフロアパネル１５との間に構成される車室における後部、且つ、下部に配置される。モーションセンサ２を車室後部に配置することによって電波が車室の多くのエリアをカバーすることができ、モーションセンサ２を車室下部に配置することによって発信直後の強い電波がソフトトップＳＴに達するのを防止することができる。
【００２４】
尚、本願における「前」、「後」、「左」、「右」の用語は、特別の説明なしに用いられるときは、車両の進行方向における車両の長手方向軸線に対する前後左右を意味する。
【００２５】
図３及び図４は、モーションセンサ２と、このモーションセンサ２をリヤコンソールパネル１２aに取り付けるための取付ブラケット３とを示す。
【００２６】
取付ブラケット３は、車両１０の前後方向に延びる一対の脚部３Ａと、これらの脚部３Ａの後部同士を連結する連結部３Ｂとを備える。各脚部３Ａ、連結部３Ｂには取付穴(図示せず)が形成され、リヤコンソールパネル１２aへの取付ブラケット３の取付けは、取付ブラケット３のこれらの取付穴をリヤコンソールパネル１２aに形成された取付穴(図示せず)と夫々整合させ、整合された夫々の取付穴にボルト(図示せず)を通し、このボルトにナット(図示せず)を螺合し、取付ブラケット３の脚部３Ａとリヤコンソールパネル１２aとを締め付けることによって行われる。
【００２７】
リヤコンソールパネル１２aへの取付ブラケット３の取付けは、接着剤を用いて行っても良いし、溶接によって行っても良い。以下の説明では、説明の簡略化の目的で、２つの要素を互いに連結する場合に、ボルト、ナット、或いは、ビス等の締結手段を用いた締結や、溶接や接着剤などを用いた固定のいずれの手段をも用いることができる場合には、単に「取り付ける」と称する。
【００２８】
取付ブラケット３は連結部３Ｂから上方に延びる取付部３Ｃを備え、モーションセンサ２は、その下部取付部２Ａを取付部３Ｃに取り付けることによって、取付ブラケット３に取り付けられる。
【００２９】
モーションセンサ２それ自体は既存の構造のものであり、従って、その構造、作動についての説明は省略する。
【００３０】
モーションセンサ２は水平線に対して下向きに、リヤコンソールパネル１２aに向けられるように、配置される。モーションセンサ２が水平線に対して下向きに配置されることにより、モーションセンサ２からの電波発信中心方向の最も強い電波(直接波)がソフトトップＳＴに向かうのを回避することができる。電波発信中心方向の電波と比較して外側領域の電波は弱いけれども、使用される電波の大きさによっては外側領域の電波といえどもソフトトップＳＴを透過してしまう恐れがある。従って、モーションセンサ２は、直接波が車両１０のＡピラー(図示せず)の上縁よりも後方(ソフトトップＳＴ)に向かわない角度で、水平線に対して下向きに配置されるのが好ましい。
【００３１】
モーションセンサ２の背面には、モーションセンサ２の前方電波発信面に対向して、電波を遮蔽するための後方遮蔽プレート４が取り付けられ、これにより、モーションセンサ２の後方への電波(サイドローブ)が遮蔽される。
【００３２】
モーションセンサ２は、電気ケーブル５及びコネクタ６を介して、盗難防止制御装置(図示せず)に接続され、盗難防止制御装置(図示せず)は、警告音発生装置(サイレン)等の各種アラーム装置(図示せず)と有線、又は、無線で接続される。盗難防止制御装置(図示せず)は、モーションセンサ２が受信した反射波に所定の変化が生じたときに、各種アラーム装置(図示せず)に対して盗難防止制御を行う。盗難防止制御は、「背景技術」の項で述べた各種アラームの制御を意味する。
【００３３】
センタートンネル１２のリヤコンソールパネル１２aに取り付けられたモーションセンサ２及び取付ブラケット３は、トリム部材、すなわち、表面装飾部材３０によって覆われる。表面装飾部材３０は、モーションセンサ２及び取付ブラケット３と干渉しない高さでエンドパネル１３から前方に延び、リヤコンソールパネル１２aを越えた後、下方に延び、その後、センタートンネル１２に沿って、インストルメントパネル(図示せず)を含むダッシュボード３１まで延びる。
【００３４】
表面装飾部材３０の下面には、モーションセンサ２から下向きに発信され、リヤコンソールパネル１２aによって反射された反射電波を再び下方に反射させる反射部材４０が設けられる。反射部材４０により、電波発信方向の強い強度の電波が上方に向かうのを阻止し、ルーフ上方の移動物に対する誤検知を低減することができる。また、反射部材によってによって反射された電波がモーションセンサ２の直接波が届かない室内エリアに達することによって、検知エリアを拡大することができる。
【００３５】
反射部材４０は、これによって反射された電波Ｗが特定の車内エリアに向かうように位置決めされ、角度決めされるのが好ましく、この実施形態では、ＣＤプレイヤーなどのオーディオ機器や、ナビゲーション装置などの高価な機器が取り付けられることが多いインストルメントパネル(図示せず)を含むダッシュボード３１の方向に電波を反射するように位置決めされ、角度決めされている。この構成により、厳重に侵入検知すべき車内エリアの盗難防止性能を向上させることができる。
【００３６】
反射部材４０はまた、モーションセンサ２の電波発信方向とほぼ平行に配置される。これにより、反射部材４０によって遮られてしまう、モーションセンサ２の電波発信方向における直接波Ｗ１を少なくし、検知できない車内エリアを少なくすることができる。
また、モーションセンサ２と反射部材４０とを車両の前後方向に離間させるように、モーションセンサ２の角度と反射部材４０の位置を選択することによって、モーションセンサ２からの直接波Ｗ２をモーションセンサ２と反射部材４０との隙間から車両１０のハンドル１６に向けることが可能になる。これにより、厳重に侵入検知すべき車内エリアの１つであるハンドル付近の盗難防止性能を、反射部材４０を設けたことによって、低下させてしまうのを阻止することができる。
【００３７】
反射部材４０は、接着剤や粘着剤シートを用いて表面装飾部材３０の下面に固定される。上述した角度、位置に反射部材４０を容易に固定することができるように、表面装飾部材３０の下面を加工しておくのが好ましい。また、反射部材４０を表面装飾部材３０と一体に形成しても良い。
【００３８】
尚、モーションセンサ２は表面装飾部材３０によってを覆われるので、モーションセンサ２から発信するのは、表面装飾部材３０によって遮蔽されてしまう超音波ではなく、電波が好ましい。超音波を用いる場合には、表面装飾部材３０に超音波の出口を設ける必要がある。
【００３９】
以下、上述した構成の盗難防止装置１の作動を説明する。
例えば車両ドアのロック装置が施錠されることによって盗難防止装置１が作動され、車両盗難警戒状態に入る。盗難防止装置１が車両盗難警戒状態に入ると、モーションセンサ２が電波を連続的（或いは、断続的）に発信する。
【００４０】
モーションセンサ２が発信した電波の一部は、リヤコンソールパネル１２aによって上方に反射され、この反射電波の一部は、反射部材４０によって再び下方に、且つ、インストルメントパネル(図示せず)を含むダッシュボード３１の方向に反射される。反射部材４０によって反射された電波Ｗが下方に差し向けられることによって、モーションセンサ２の電波発信方向の強い強度の電波がソフトトップＳＴに向かうのが阻止され、ソフトトップＳＴ上方の移動物に対する誤検知が低減される。また、電波Ｗがダッシュボード３１の方向に差し向けられることによって、厳重に侵入検知すべき車内エリアの盗難防止性能を向上させることができる。
【００４１】
モーションセンサ２の電波発信方向の強い強度の電波の一部Ｗ１は、リヤコンソールパネル１２a及び反射部材４０のいずれにも妨げられずに車内に広がり、モーションセンサ２が発信した電波の一部Ｗ２は、モーションセンサ２と反射部材４０との隙間から車両１０のハンドル１６に向かう。
【００４２】
モーションセンサ２が発信した電波は再びモーションセンサ２によって受信され、受信結果は盗難防止制御装置(図示せず)に送信される。モーションセンサ２が受信した反射波に所定の変化が生じたときには、盗難防止制御装置(図示せず)は車内に不審者が侵入したと判断し、各種アラーム装置(図示せず)に対して盗難防止制御を行い、各種アラーム装置(図示せず)は、例えば、侵入者の存在を車両付近の第三者に知らせる警報音を発し、侵入者の存在を車両所有者(使用者)に知らせる通報を行う。
【００４３】
本発明は、上述した実施形態に限定されることなく以下のような種々の変更が可能である。
【００４４】
例えば、上記実施形態の車両盗難防止装置では、モーションセンサ２は、車室下部に位置するリヤコンソールパネル１２aの上方近傍に取り付けられたけれども、同じく車室下部に位置し、金属プレートからなるフロアパネル１５の上方近傍に取り付けても良い。
【００４５】
また、上記実施形態の車両盗難防止装置では、反射部材４０を表面装飾部材３０に取り付けたけれども、表面装飾部材３０以外の車両構成部品に取り付けても良い。
【産業上の利用可能性】
【００４６】
上述した実施形態では、ソフトトップを備えたオープンカー用の車両盗難防止装置として本発明を説明したけれども、本発明の車両盗難防止装置は、オープンカー以外の車両、例えば、電波透過性材料で作られたトップを持つキャンバストップ車、コンバーチブル車、或いはまた、電波を透過しやすいガラスによってトップの一部が構成されているサンルーフ車、グラスルーフ車にも有用である。
【図面の簡単な説明】
【００４７】
【図１】本発明の一実施形態による車両用盗難防止装置を車両に取り付けた状態を示す概略図である。
【図２】図１の車両用盗難防止装置の車両取付位置を示す、車両の部分概略斜視図である。
【図３】図１の車両用盗難防止装置のモーションセンサ及び取付ブラケットを示す左側面図である。
【図４】図１の車両用盗難防止装置のモーションセンサ及び取付ブラケットの正面右側斜視図である。
【符号の説明】
【００４８】
ＳＴ  ソフトトップ（電波透過性材料で作られたルーフ）
１  オープンカー用の盗難防止装置（盗難防止装置）
２  モーションセンサ
１０  車両
１２a  リヤコンソールパネル(車両下部の金属パネル)
２０  電波反射制御部材（電波反射部材）
３０  表面装飾部材(トリム部材)
４０  反射部材
【図１】
2006281844.tif 000003
【図２】
2006281844.tif 000004
【図３】
2006281844.tif 000005
【図４】
2006281844.tif 000006